(57)【要約】【課題】  セパレータによって分離された紙の先端を前側に出易くするとともに、この紙の先端部を把持し易くして、紙の引出操作や切断操作を円滑に行うことができるようにする。【解決手段】  壁面に付設される基台１に、ロール紙Ｗをこれを構成する紙Ｓの先端Ｓａ側を上側から前方に向けて引出し可能な正転方向Ｒに回転可能に支持する支持軸２と、回動軸６に回動可能に設けられ引出される先端Ｓａ側の紙Ｗをこれより下にあるロール紙Ｗのロール面Ｗｓに当接してロール面Ｗｓから分離させて支承するブレード１１を有したセパレータ１０と、回動軸６に回動可能に設けられセパレータ１０を覆うとともに前端縁が紙Ｓを切断可能な切断刃２１として構成された覆い板２０とを設け、このセパレータ１０に、ブレード１１と覆い板２０との間に間隔Ｅを形成するスぺーサ１７を設けた。【選択図】図４
2019154835.tif 000002
【特許請求の範囲】
【請求項１】
壁面に付設される基台に、帯状の紙を巻回したロール紙の中心孔に挿入されて該ロール紙を構成する紙の先端側を上側から前方に向けて引出し可能な正転方向に該ロール紙を回転可能に支持する支持軸を設けたロール紙ホルダーにおいて、
上記基台に、上記支持軸の中心線と平行な軸線を軸心として回動可能に設けられ引出される先端側の紙をこれより下にあるロール紙のロール面に当接して該ロール面から分離させて支承するブレードを有したセパレータと、上記支持軸の中心線と平行な軸線を軸心として回動可能に設けられ上記セパレータを覆うとともに前端縁が上記セパレータに支承された先端側の紙を切断可能な切断刃として構成された覆い板とを設け、
上記セパレータ及び／または覆い板に、上記ブレードと上記覆い板との間に間隔を形成するスぺーサを設けたことを特徴とするロール紙ホルダー。
【請求項２】
上記支持軸の中心線に直交する側面から見て、上記セパレータの前端上面に直交する方向の上記間隔の寸法Ｌを、５ｍｍ≦Ｌ≦６０ｍｍに設定したことを特徴とする請求項１記記載のロール紙ホルダー。
【請求項３】
上記基台を、壁面に付設される背板と、該背板から前側に起立する起立板とを備えて構成し、上記支持軸をその中心線が上記背板の前方であって該背板の表面と平行になるように上記起立板に設け、
上記基台の上記支持軸より上側後方に、上記支持軸の中心線と平行な軸線を有し上記セパレータ及び覆い板を回動可能に支持する回動軸を設け、
上記セパレータのブレードを、後縁が上記支持軸の中心線より上側前方に位置し該支持軸の中心線と平行になるとともに上記ロール紙のロール面に当接してロール紙の正転方向への回転時に紙の先端をすくい上げ可能な先端先細りのすくい刃として構成され、且つ、上面が上記ロール紙を構成する紙の先端側を支承する支承面として構成された板状に形成し、該セパレータを、上記回動軸に回動可能に設けられ上記ブレードを支持する支持体を備えて構成したことを特徴とする請求項２記載のロール紙ホルダー。
【請求項４】
上記セパレータを、上記ロール紙を構成する紙の先端側が通過可能な通過開口が形成された板状部材で形成し、該板状部材の上記通過開口の前側開口縁を含む前端部を上記ブレードとして構成し、該ブレードのすくい刃を上記通過開口の前側開口縁に形成し、上記板状部材の上記通過開口の後側開口縁を含み上記ブレードを構成する前端部以外の後側部分を上記支持体として構成し、上記通過開口の後側開口縁に上側に突出する突出板を一体に折曲形成し、該突出板を上記スぺーサとして構成したことを特徴とする請求項３記載のロール紙ホルダー。
【請求項５】
上記ブレードの前端を、後側に凹んだ凹曲面にし、該ブレードの前端に凹所を形成したことを特徴とする請求項３または４記載のロール紙ホルダー。
【請求項６】
上記覆い板の切断刃を、上から見て刃先が上記凹曲面より前側に突出するように、山形に突出形成したことを特徴とする請求項５記載のロール紙ホルダー。
【請求項７】
上記覆い板の切断刃を、鋸刃状に形成したことを特徴とする請求項６記載のロール紙ホルダー。
【請求項８】
上記基台の背板をロール紙が軸方向に並設可能な長さに形成し、該背板の両側端に、夫々、起立板を設け、上記支持軸をロール紙の幅寸法に対応させた長さに形成して、該支持軸の一端を一方の起立板に設けるとともに、該支持軸に対応させて、上記セパレータ及び覆い板を設け、
他方の起立板側に、予備のロール紙を保持するとともにロール紙のない支持軸に予備のロール紙を受渡し可能にする予備保持部を備えたことを特徴とする請求項３乃至７何れかに記載のロール紙ホルダー。
【請求項９】
上記予備保持部を、上記支持軸側に開口を有しロール紙を収容する筒状の外郭と、該外郭の上記他方の起立板側の開口に臨む側板とを有した本体を備えて構成し、上記回動軸を上記起立板間に架設し、上記本体を上記回動軸に回動可能に支持し、回動により上記本体内のロール紙を上記支持軸に受渡可能な受渡位置及び受渡位置から離間して上記本体内に予備のロール紙を補填可能な補填位置の２位置に移動可能にしたことを特徴とする請求項８記載のロール紙ホルダー。
【請求項１０】
上記本体の側板に、該本体の受渡位置において、上記支持軸の中心線と同軸になる中心線を有し、該支持軸と略同形状で略同じ長さに形成され、予備のロール紙の中心孔に挿入されて該ロール紙を保持する保持軸の一端を設け、上記受渡位置において、上記支持軸の他端と上記保持軸の他端とを対峙させて、予備のロール紙を中心線方向にスライドさせることにより、上記保持軸から上記支持軸に受渡可能にしたことを特徴とする請求項９記載のロール紙ホルダー。
【請求項１１】
上記本体を、該本体の受渡位置において、上記基台に対してロック可能なロック機構を設けたことを特徴とする請求項９または１０記載のロール紙ホルダー。
【請求項１２】
上記セパレータに、上記本体の受渡位置において、上記本体内の予備のロール紙の上記支持軸側へのスライドを規制する規制板を設けたことを特徴とする請求項９乃至１１何れかに記載のロール紙ホルダー。
【請求項１３】
上面が上記覆い板の上方にあって物の載置面として構成される載置板を設け、該載置板を、上記支持軸の中心線と平行な軸線を軸心として回動可能、且つ、回動させられて載置面を水平にして物の載置を可能にする載置可能位置に移動可能にし、該載置板を載置可能位置に停止させるストッパを設けたことを特徴とする請求項１乃至１２何れかに記載のロール紙ホルダー。
【発明の詳細な説明】
【技術分野】
【０００１】
本発明は、トイレットペーパーなどのロール紙を回転可能に支持してロール紙を構成する紙を引出し可能に支持するロール紙ホルダーに係り、特に、紙の先端をロール紙から分離し易いようにして紙の引出操作を円滑に行うことができるようにしたロール紙ホルダーに関する。
【背景技術】
【０００２】
従来、この種のロール紙ホルダーとしては、例えば、特開平１０−２０１６６４号公報（特許文献１）に掲載されたものが知られている。図１０に示すように、このロール紙ホルダーＨａは、帯状の紙Ｓを巻回し中心孔Ｗｈを有したトイレットペーパーからなるロール紙Ｗ用のものであり、トイレの壁面に付設される基台１００に、ロール紙Ｗの中心孔Ｗｈに挿入されてロール紙Ｗを構成する紙Ｓの先端Ｓａ側を上側から前方に向けて引出し可能な正転方向Ｒにロール紙Ｗを回転可能に支持する支持軸１０１と、基台１００に支持軸１０１の中心線Ｐと平行な回動軸１０２に回動可能に設けられ引出される先端Ｓａ側の紙Ｓをこれより下にあるロール紙Ｗのロール面Ｗｓに当接してロール面Ｗｓから分離させて支承するブレード１０３を有したセパレータ１０４と、回動軸１０２に回動可能に設けられセパレータ１０４を覆うとともに前端縁がセパレータ１０４のブレード１０３に支承された先端Ｓａ側の紙Ｓを切断可能な切断刃１０５として構成された覆い板１０６とを備えて構成されている。
【０００３】
これにより、支持軸１０１へのロール紙Ｗの装着時や、ロール紙Ｗが逆転方向に回転する等したときに、紙Ｓの先端Ｓａがロール紙Ｗの表面にくっついて分離しにくくなるような場合に、ロール紙Ｗを正転方向Ｒに回転させると、セパレータ１０４のブレード１０３によって、紙Ｓの先端Ｓａをすくい上げてロール面Ｗｓから分離させて支承するので、逐一手で紙Ｓの先端Ｓａをロール面Ｗｓから引き剥がさなくても良くなるようにしている。
【先行技術文献】
【特許文献】
【０００４】
【特許文献１】特開平１０−２０１６６４号公報
【発明の概要】
【発明が解決しようとする課題】
【０００５】
ところで、上記従来のロール紙ホルダーＨａにあっては、セパレータ１０４のブレード１０３によって、紙Ｓの先端Ｓａをすくい上げてロール面Ｗｓから分離させて支承するようにしてはいるが、ブレード１０３に覆い板１０６が当接しているので、分離して前側に出てこようとする紙Ｓの先端Ｓａが、覆い板１０６に引っ掛かるなどして、出にくくなっているという問題があった。また、紙Ｓの先端Ｓａ側を引出して覆い板１０６の切断刃１０５で切断した後においては、紙Ｓの先端Ｓａが覆い板１０６に接触して隠されてしまい、次に、紙Ｓの先端部を把持して引出す際に引き出しにくくなっているという問題もある。
【０００６】
本発明は上記の問題点に鑑みて為されたもので、セパレータによって分離された紙の先端を前側に出易くするとともに、この紙の先端部を把持し易くして、紙の引出操作や切断操作を円滑に行うことができるようにしたロール紙ホルダーを提供することを目的とする。
【課題を解決するための手段】
【０００７】
上記の目的を達成するための本発明のロール紙ホルダーは、壁面に付設される基台に、帯状の紙を巻回したロール紙の中心孔に挿入されて該ロール紙を構成する紙の先端側を上側から前方に向けて引出し可能な正転方向に該ロール紙を回転可能に支持する支持軸を設けたロール紙ホルダーにおいて、
上記基台に、上記支持軸の中心線と平行な軸線を軸心として回動可能に設けられ引出される先端側の紙をこれより下にあるロール紙のロール面に当接して該ロール面から分離させて支承するブレードを有したセパレータと、上記支持軸の中心線と平行な軸線を軸心として回動可能に設けられ上記セパレータを覆うとともに前端縁が上記セパレータに支承された先端側の紙を切断可能な切断刃として構成された覆い板とを設け、
上記セパレータ及び／または覆い板に、上記ブレードと上記覆い板との間に間隔を形成するスぺーサを設けた構成としている。スぺーサは、紙の先端側の引出しを許容して設けられる。
【０００８】
これにより、支持軸へのロール紙の装着時や、ロール紙が逆転方向に回転する等したときに、紙の先端がロール紙の表面にくっついて分離しにくくなるような場合に、ロール紙を手で正転方向に回転させると、セパレータのブレードによって、紙の先端がすくい上げられ、ロール面から分離させられてブレードに支承され、紙の先端が前側に出てくる。この場合、ブレードと覆い板との間に間隔が形成されているので、分離して前側に出てこようとする紙の先端が、覆い板に引っ掛かりにくくなっており、そのため、紙の先端を前側に出易くすることができるようになる。また、ブレードと覆い板との間に間隔が形成されているので、それだけ、手の指が入り易くなっており、紙の先端部を容易に把持して引き出すことができるようになる。所要の長さ引出したならば、例えば、覆い板を手で押さえるなどして、紙を引き上げて覆い板の切断刃に当てて切断する。切断後は、紙の先端は間隔のあるブレードと覆い板との間に臨む。そして、次に、紙の先端側を引出す際には、紙の先端部を把持するが、ブレードと覆い板との間に間隔が形成されているので、それだけ、手の指が入り易くなっており、紙の先端部を容易に把持して引き出すことができるようになる。このため、紙の引出操作や切断操作を円滑に行うことができるようになる。
【０００９】
そして、必要に応じ、上記支持軸の中心線に直交する側面から見て、上記セパレータの前端上面に直交する方向の上記間隔の寸法Ｌを、５ｍｍ≦Ｌ≦６０ｍｍに設定した構成としている。５ｍｍに満たないと紙の先端部を把持しにくい。６０ｍｍを超えると、切断の際、紙の持ち上げ量が大きくなってやりにくくなる。望ましくは、１０ｍｍ≦Ｌ≦５０ｍｍである。より望ましくは、２０ｍｍ≦Ｌ≦３０ｍｍである。これにより、間隔を適正なものにすることができ、より一層、紙の引出操作や切断操作を円滑に行うことができるようになる。
【００１０】
また、必要に応じ、上記基台を、壁面に付設される背板と、該背板から前側に起立する起立板とを備えて構成し、上記支持軸をその中心線が上記背板の前方であって該背板の表面と平行になるように上記起立板に設け、
上記基台の上記支持軸より上側後方に、上記支持軸の中心線と平行な軸線を有し上記セパレータ及び覆い板を回動可能に支持する回動軸を設け、
上記セパレータのブレードを、後縁が上記支持軸の中心線より上側前方に位置し該支持軸の中心線と平行になるとともに上記ロール紙のロール面に当接してロール紙の正転方向への回転時に紙の先端をすくい上げ可能な先端先細りのすくい刃として構成され、且つ、上面が上記ロール紙を構成する紙の先端側を支承する支承面として構成された板状に形成し、該セパレータを、上記回動軸に回動可能に設けられ上記ブレードを支持する支持体を備えて構成している。
これにより、セパレータ及び覆い板を、１つの回動軸に回動可能に支持したので、構造を簡易にすることができ、組立効率を向上させることができる。
【００１１】
この場合、上記セパレータを、上記ロール紙を構成する紙の先端側が通過可能な通過開口が形成された板状部材で形成し、該板状部材の上記通過開口の前側開口縁を含む前端部を上記ブレードとして構成し、該ブレードのすくい刃を上記通過開口の前側開口縁に形成し、上記板状部材の上記通過開口の後側開口縁を含み上記ブレードを構成する前端部以外の後側部分を上記支持体として構成し、上記通過開口の後側開口縁に上側に突出する突出板を一体に折曲形成し、該突出板を上記スぺーサとして構成している。
これにより、セパレータを、紙の先端側が通過可能な通過開口が形成された板状部材で形成し、しかも、スぺーサを、通過開口の後側開口縁に一体に折曲形成された突出板で構成したので、１枚の板状部材でセパレータとスぺーサを作成することができ、構造を簡易にして、製造効率を向上させることができる。また、セパレータを一枚の板状部材で形成したので、強度的にも強くなる。
【００１２】
また、必要に応じ、上記ブレードの前端を、後側に凹んだ凹曲面にし、該ブレードの前端に凹所を形成した構成としている。ブレードの手前に凹所が形成されるので、紙の先端がこの凹所に臨むことから、より一層紙の先端部を把持し易くすることができる。
【００１３】
更に、必要に応じ、上記覆い板の切断刃を、上から見て刃先が上記凹曲面より前側に突出するように、山形に突出形成した構成としている。切断刃の刃先が凹曲面より前側に突出しており、しかも、山形に突出形成されているので、引出した紙を持ち上げるだけで、切断刃の刃先が紙に当接してこれを割くことから、切断を容易且つ円滑に行わせることができる。
【００１４】
この場合、上記覆い板の切断刃を、鋸刃状に形成したことが有効である。より一層、切断を確実に行わせることができる。
【００１５】
そしてまた、必要に応じ、上記基台の背板をロール紙が軸方向に並設可能な長さに形成し、該背板の両側端に、夫々、起立板を設け、上記支持軸をロール紙の幅寸法に対応させた長さに形成して、該支持軸の一端を一方の起立板に設けるとともに、該支持軸に対応させて、上記セパレータ及び覆い板を設け、
他方の起立板側に、予備のロール紙を保持するとともにロール紙のない支持軸に予備のロール紙を受渡し可能にする予備保持部を備えた構成としている。支持軸のロール紙がなくなったならば、予備保持部から予備のロール紙を補給できるので、極めて便利になる。
【００１６】
また、必要に応じ、上記予備保持部を、上記支持軸側に開口を有しロール紙を収容する筒状の外郭と、該外郭の上記他方の起立板側の開口に臨む側板とを有した本体を備えて構成し、上記回動軸を上記起立板間に架設し、上記本体を上記回動軸に回動可能に支持し、回動により上記本体内のロール紙を上記支持軸に受渡可能な受渡位置及び受渡位置から離間して上記本体内に予備のロール紙を補填可能な補填位置の２位置に移動可能にしたことが有効である。予備のロール紙を本体で覆うので、外観品質を向上させることができる。
【００１７】
更に、必要に応じ、上記本体の側板に、該本体の受渡位置において、上記支持軸の中心線と同軸になる中心線を有し、該支持軸と略同形状で略同じ長さに形成され、予備のロール紙の中心孔に挿入されて該ロール紙を保持する保持軸の一端を設け、上記受渡位置において、上記支持軸の他端と上記保持軸の他端とを対峙させて、予備のロール紙を中心線方向にスライドさせることにより、上記保持軸から上記支持軸に受渡可能にした構成としている。予備のロール紙を保持軸に保持して支持軸に受け渡すので、ロール紙の中心孔を支持軸に挿通し易くなり、補給を容易に行うことができる。
【００１８】
この場合、上記本体を、該本体の受渡位置において、上記基台に対してロック可能なロック機構を設けた構成としている。防盗性を向上させることができる。
【００１９】
また、必要に応じ、上記セパレータに、上記本体の受渡位置において、上記本体内の予備のロール紙の上記支持軸側へのスライドを規制する規制板を設けた構成としている。支持軸へ支持したロール紙の使用中において、予備のロール紙が移動しようとしても、規制板で移動が規制されるので、支持軸へ支持したロール紙に接触することがなく、支持軸でのロール紙の回転を円滑に保持することができる。
【００２０】
そしてまた、必要に応じ、上面が上記覆い板の上方にあって物の載置面として構成される載置板を設け、該載置板を、上記支持軸の中心線と平行な軸線を軸心として回動可能、且つ、回動させられて載置面を水平にして物の載置を可能にする載置可能位置に移動可能にし、該載置板を載置可能位置に停止させるストッパを設けた構成としている。載置板に物を置くことができるので、利便性を向上させることができる。
【発明の効果】
【００２１】
本発明によれば、支持軸へのロール紙の装着時や、ロール紙が逆転方向に回転する等したときに、紙の先端がロール紙の表面にくっついて分離しにくくなるような場合に、ロール紙を手で正転方向に回転させると、セパレータのブレードによって、紙の先端がすくい上げられ、ロール面から分離させられてブレードに支承され、紙の先端が前側に出てくる。この場合、ブレードと覆い板との間に間隔が形成されているので、分離して前側に出てこようとする紙の先端が、覆い板に引っ掛かりにくくなっており、そのため、紙の先端を前側に出易くすることができるようになる。また、ブレードと覆い板との間に間隔が形成されているので、それだけ、手の指が入り易くなっており、紙の先端部を容易に把持して引き出すことができるようになる。所要の長さ引出したならば、例えば、覆い板を手で押さえるなどして、紙を引き上げて覆い板の切断刃に当てて切断する。切断後は、紙の先端は間隔のあるブレードと覆い板との間に臨む。そして、次に、紙の先端側を引出す際には、紙の先端部を把持するが、ブレードと覆い板との間に間隔が形成されているので、それだけ、手の指が入り易くなっており、紙の先端部を容易に把持して引き出すことができるようになる。このため、紙の引出操作や切断操作を円滑に行うことができるようになる。
【図面の簡単な説明】
【００２２】
【図１】本発明の実施の形態に係るロール紙ホルダーを使用状態で示す斜視図である。
【図２】本発明の実施の形態に係るロール紙ホルダーを使用状態で示す別の斜視図である。
【図３】本発明の実施の形態に係るロール紙ホルダーを示す正面図である。
【図４】本発明の実施の形態に係るロール紙ホルダーを示す側面断面図である。
【図５】本発明の実施の形態に係るロール紙ホルダーの作用を示す要部拡大側面断面図である。
【図６】本発明の実施の形態に係るロール紙ホルダーにおいて、載置板及び覆い板を開けた状態を示す斜視図である。
【図７】本発明の実施の形態に係るロール紙ホルダーにおいて、載置板を開けた状態を示す斜視図である。
【図８】本発明の実施の形態に係るロール紙ホルダーにおいて、予備保持部に予備のロール紙を装填するときの状態を示す斜視図である。
【図９】本発明の実施の形態に係るロール紙ホルダーの支持軸（保持軸）の構成を示し、（ａ）は可動軸に着脱可能に設けられるアタッチメント軸を示す斜視図、（ｂ）はアタッチメント軸が装着された状態を示す縦断面図である。
【図１０】従来のロール紙ホルダーの一例を示す断面図である。
【発明を実施するための形態】
【００２３】
以下、添付図面に基づいて本発明の実施の形態に係るロール紙ホルダーについて詳細に説明する。
図１乃至図９に示すように、実施の形態に係るロール紙ホルダーＨは、帯状の紙Ｓを巻回し中心孔Ｗｈを有したトイレットペーパーからなるロール紙Ｗ用のものである。実施の形態では、中心孔Ｗｈは紙Ｓのみで形成され、芯材は用いられていないタイプのロール紙Ｗが用いられる。実施の形態に係るロール紙ホルダーＨは、壁面に付設される基台１に、ロール紙Ｗの中心孔Ｗｈに挿入されてロール紙Ｗを構成する紙Ｓの先端Ｓａ側を上側から前方に向けて引出し可能な正転方向Ｒにロール紙Ｗを回転可能に支持する支持軸２と、基台１に支持軸２の中心線Ｐと平行な軸線Ｑを軸心として回動可能に設けられ引出される先端Ｓａ側の紙Ｓをこれより下にあるロール紙Ｗのロール面に当接してロール面Ｗｓから分離させて支承するブレード１１を有したセパレータ１０と、基台１に支持軸２の中心線Ｐと平行な軸線Ｑを軸心として回動可能に設けられセパレータ１０を覆うとともに前端縁がセパレータ１０に支承された先端Ｓａ側の紙Ｓを切断可能な切断刃２１として構成された覆い板２０とを備えて構成されている。
【００２４】
詳しくは、基台１は、トイレの壁面に付設される背板３と、背板３から前側に起立する起立板４，５とを備えて構成されている。基台１の背板３は、ロール紙Ｗが軸方向に並設可能な長さ、実施の形態ではロール紙Ｗを併設した長さより僅かに長く形成されており、起立板４，５は、この背板３の両側端に、夫々設けられている。一方の起立板４より他方の起立板５の方が起立方向の寸法は短く形成されている。
【００２５】
支持軸２は、図９に示すように、ロール紙Ｗの幅寸法に対応させた長さ、実施の形態ではロール紙Ｗの幅寸法より僅かに長い長さに形成されており、固定軸２ａと、これに回動可能に軸支される可動軸２ｂとから構成されている。固定軸２ａの一端は、一方の起立板４に固定されている。固定軸２ａの他端部は、固定軸２ａの一般径より大径且つ可動軸２ｂの外径よりは僅かに小径に形成されており、可動軸２ｂが抜けないように可動軸２ｂを押さえる機能を有して構成されているとともに、その先端はロール紙Ｗの中心孔Ｗｈに挿入され易いように、先端先細りに形成されている。また、支持軸２は、可動軸２ｂに軸支されるとともに可動軸２ｂに対して着脱可能で可動軸２ｂより大径のアタッチメント軸２ｃを備えている。符号７は、固定軸２ａの他端部に装着されアタッチメント軸２ｃが抜けないようにこれを押さえるＣリングである。これにより、ロール紙Ｗの中心孔Ｗｈが小径のものについては、アタッチメント軸２ｃを取外して、可動軸２ｂのみで対応し、ロール紙Ｗの中心孔Ｗｈが大径のものについては、アタッチメント軸２ｃを取付けて対応できるようにしている。図１乃至図８は、可動軸２ｂのみの場合を示す。
【００２６】
基台１の支持軸２より上側後方には、支持軸２の中心線Ｐと平行な軸線Ｑを有しセパレータ１０及び覆い板２０を回動可能に支持する回動軸６が設けられている。回動軸６は、起立板４，５間に架設されている。セパレータ１０及び覆い板２０は、支持軸２に対応させて、一方の起立板４側に配置されている。セパレータ１０及び覆い板２０を、１つの回動軸６に回動可能に支持したので、構造を簡易にすることができ、組立効率を向上させることができる。
【００２７】
セパレータ１０のブレード１１は、後縁が支持軸２の中心線Ｐより上側前方に位置し、支持軸２の中心線Ｐと平行になるとともにロール紙Ｗのロール面Ｗｓに当接してロール紙Ｗの正転方向Ｒへの回転時に紙Ｓの先端Ｓａをすくい上げ可能な先端先細りのすくい刃１２として構成され、且つ、上面がロール紙Ｗを構成する紙Ｓの先端Ｓａ側を支承する支承面１３として構成された板状に形成されている。また、セパレータ１０は、回動軸６に回動可能に設けられブレード１１を支持する支持体１４を備えて構成されている。
【００２８】
詳しくは、セパレータ１０は、ロール紙Ｗを構成する紙Ｓの先端Ｓａ側が通過可能な通過開口１５が形成された板状部材１６で形成されており、この板状部材１６の通過開口１５の前側開口縁１５ａを含む前端部がブレード１１として構成され、ブレード１１のすくい刃１２は、通過開口１５の前側開口縁１５ａに形成されている。また、板状部材１６の通過開口１５の後側開口縁１５ｂを含みブレード１１を構成する前端部以外の後側部分が支持体１４として構成されている。
【００２９】
そして、セパレータ１０及び／または覆い板２０（実施の形態ではセパレータ１０）には、ブレード１１と覆い板２０との間に間隔Ｅを形成するスぺーサ１７が設けられている。スぺーサ１７は、紙Ｓの先端Ｓａ側の引出しを許容して設けられる。通過開口１５の後側開口縁１５ｂには、上側に突出する矩形の突出板１８が一体に折曲形成されており、この突出板１８が、スぺーサ１７として構成されている。図５に示すように、支持軸２の中心線Ｐに直交する側面から見て、セパレータ１０の前端上面に直交する方向の間隔Ｅの寸法Ｌは、５ｍｍ≦Ｌ≦６０ｍｍに設定されている。５ｍｍに満たないと紙Ｓの先端部を把持しにくい。６０ｍｍを超えると、切断の際、紙Ｓの持ち上げ量が大きくなってやりにくくなる。望ましくは、１０ｍｍ≦Ｌ≦５０ｍｍである。より望ましくは、２０ｍｍ≦Ｌ≦３０ｍｍである。これにより、間隔Ｅを適正なものにすることができ、紙Ｓの引出操作や切断操作を円滑に行うことができるようになる。
【００３０】
これにより、セパレータ１０は、紙Ｓの先端Ｓａ側が通過可能な通過開口１５が形成された板状部材１６で形成され、しかも、スぺーサ１７が、通過開口１５の後側開口縁１５ｂに一体に折曲形成された突出板１８で構成されているので、１枚の板状部材１６でセパレータ１０とスぺーサ１７を作成することができ、構造を簡易にして、製造効率を向上させることができる。また、セパレータ１０を一枚の板状部材１６で形成したので、強度的にも強くなる。
【００３１】
また、ブレード１１の前端は、後側に凹んだ凹曲面１９に形成されており、ブレード１１の前端に凹所１９ａが形成されている。更に、覆い板２０の切断刃２１は、図１及び図２に示すように、上から見て刃先が凹曲面１９より前側に突出するように、山形に突出形成されている。更にまた、覆い板２０の切断刃２１は、鋸刃状に形成されている。
【００３２】
そしてまた、他方の起立板５側には、予備のロール紙Ｗを保持するとともにロール紙Ｗのない支持軸２に予備のロール紙Ｗを受渡し可能にする予備保持部３０が備えられている。この予備保持部３０は、支持軸２側に開口３１を有しロール紙Ｗを収容する筒状の外郭３２と、外郭３２の他方の起立板５側の開口３３に臨む側板３４とを有した本体３５を備えて構成されている。この本体３５は、他方の起立板５側において、回動軸６に回動可能に支持されており。回動により本体３５内のロール紙Ｗを支持軸２に受渡可能な受渡位置Ｘ（図１乃至図３，図６及び図７）及び受渡位置Ｘから離間して本体３５内に予備のロール紙Ｗを補填可能な補填位置Ｙ（図８）の２位置に移動可能になっている。
【００３３】
本体３５の側板３４には、本体３５の受渡位置Ｘにおいて、支持軸２の中心線Ｐと同軸になる中心線Ｐを有し、支持軸２と略同形状で略同じ長さに形成され、予備のロール紙Ｗの中心孔Ｗｈに挿入されてロール紙Ｗを保持する保持軸３６が設けられている。図９に示すように、保持軸３６も支持軸２と同様の、固定軸３６ａと、これに回動可能に軸支される可動軸３６ｂとから構成されている。固定軸３２ａの一端は、側板３４に固定されている。また、保持軸３６は、支持軸２と同様のアタッチメント軸３６ｃを備えている。これにより、ロール紙Ｗの中心孔Ｗｈが小径のものについては、アタッチメント軸３６ｃを取外して、可動軸３６ｂのみで対応し、ロール紙Ｗの中心孔Ｗｈが大径のものについては、アタッチメント軸３６ｃを取付けて対応できるようにしている。図１乃至図８は、可動軸３６ｂのみの場合を示す。これにより、受渡位置Ｘにおいて、支持軸２の他端と保持軸３６の他端とを対峙させて、予備のロール紙Ｗを支持軸２の中心線Ｐ方向にスライドさせることにより、保持軸３６から支持軸２に受渡可能にしている。
【００３４】
また、本体３５を、本体３５の受渡位置Ｘにおいて、基台１に対してロック可能なロック機構４０が設けられている。ロック機構４０は、図７に示すように、本体３５の受渡位置Ｘにおいて、本体３５の背面に設けた穴（図示せず）及び基台１の背板３に設けた穴（図示せず）に差込まれて、背板３に対して本体３５を不動にするようにした差込み杆４１を備えて構成されている。差込み杆４１は磁着性の金属材料で形成されている。差込み杆４１の頭部４２は、差込み時に本体３５の表面より内部に没入するようになっており、手では引出し不能にしてあるとともに、マグネット（図示せず）により頭部４２を磁着して引出し可能にしている。
【００３５】
更に、セパレータ１０には、本体３５の受渡位置Ｘにおいて、本体３５内の予備のロール紙Ｗの支持軸２側へのスライドを規制する規制板４４が設けられている。規制板４４は、板状部材１６の本体３５側の端縁に一体に折曲形成されている。
【００３６】
更にまた、本ロール紙ホルダーＨにおいては、上面が覆い板２０の上方にあって物の載置面５１として構成される載置板５０が設けられている。載置板５０は、回動軸６に回動可能に設けられており、これにより、支持軸２の中心線Ｐと平行な軸線Ｑを軸心として回動可能、且つ、回動させられて載置面５１を水平にして物の載置を可能にする載置可能位置Ｚ（図１乃至図４）に移動可能になっている。また、載置板５０には、載置板５０を載置可能位置Ｚに停止させるストッパ５２が設けられている。ストッパ５２は、載置板５０の裏面に付設され、載置可能位置Ｚで予備保持部３０の本体３５の外面に当接する樹脂などで形成されたブロック状の部材で形成されている。本実施の形態では、基台１，セパレータ１０，覆い板２０，予備保持部３０の本体３５及び載置板５０は、ステンレス等の金属製で形成されている。しかしながら、これに限定されるものではなく、樹脂で型成形するなどしても良く、適宜変更して差支えない。
【００３７】
従って、実施の形態に係るロール紙ホルダーＨによれば、以下のような作用をする。まず、ロール紙Ｗを装填するときは、図７に示すように、載置板５０を開け、ロック機構４０の差込み杆４１を、マグネットにより引き抜き、図８に示すように、予備保持部３０の本体３５を回動させて、補填位置Ｙに位置させる。この状態で、支持軸２にロール紙Ｗを差し込んで支持するとともに、保持軸３６に予備のロール紙Ｗを差し込んで保持する。それから、図６等に示すように、本体３５を回動させて本体３５を受渡位置Ｘに移動させ、ロック機構４０の差込み杆４１を差し込んで、本体３５をロックする。これにより、差込み杆４１はマグネットでなければ引き抜くことができないので、ロール紙Ｗの防盗性を向上させることができる。また、予備のロール紙Ｗは、本体３５で覆われるので、外観品質を向上させることができる。それから、図１乃至図４に示すように、セパレータ１０，覆い板２０及び載置板５０を回動させて閉める。この状態においては、載置板５０は、その載置面５１を水平にした載置可能位置Ｚに位置させられるので、物を載置することができ、利便性を向上させることができる。
【００３８】
そして、本ロール紙ホルダーＨの支持軸２に支持されたロール紙Ｗを使用するときは、一般には、紙Ｓの先端Ｓａがロール紙Ｗの表面にくっついて分離しにくくなっているので、図４及び図５に示すように、ロール紙Ｗを手で正転方向Ｒに回転させる。これにより、セパレータ１０には覆い板２０が載っており、自重もあることから、セパレータ１０のブレード１１のすくい刃１２はロール面Ｗａに僅かに沈み込み、紙Ｓが浮き上がるようになることから、このすくい刃１２によって、紙Ｗの先端Ｓａがすくい上げられ、ロール面Ｗｓから分離させられてブレード１１の支承面１３に支承され、紙Ｓの先端Ｓａが前側に出てくる。この場合、ブレード１１と覆い板２０との間に間隔Ｅが形成されているので、分離して前側に出てこようとする紙Ｓの先端Ｓａが、覆い板２０に引っ掛かりにくくなっており、そのため、紙Ｓの先端Ｓａを前側に出易くすることができるようになる。また、ブレード１１と覆い板２０との間に間隔Ｅが形成されているので、それだけ、手の指が入り易くなっており、紙Ｓの先端部を容易に把持して引き出すことができるようになる。また、この場合、ブレード１１の前端には、凹所１９ａが形成されるので、紙Ｓの先端Ｓａがこの凹所１９ａに臨むことから、より一層紙Ｓの先端部を把持し易くすることができる。
【００３９】
そして、図１に示すように、所要の長さ引出したならば、例えば、覆い板２０を手で押さえるなどして、紙Ｓを引き上げて覆い板２０の切断刃２１に当てて切断する。この場合、切断刃２１の刃先は、凹曲面１９より前側に突出しており、しかも、山形に突出形成されているので、引出した紙Ｓを持ち上げるだけで、切断刃２１の刃先が紙Ｓに当接してこれを割くことから、切断を容易且つ円滑に行わせることができる。また、切断刃２１は、鋸刃状に形成されているので、より一層、切断を確実に行わせることができる。
【００４０】
紙Ｓの切断後は、紙Ｓの先端Ｓａは間隔Ｅのあるブレード１１と覆い板２０との間に臨む。そして、次に、紙Ｓの先端Ｓａ側を引出す際には、紙Ｓの先端部を把持するが、ブレード１１と覆い板２０との間に間隔Ｅが形成されているので、それだけ、手の指が入り易くなっており、紙Ｓの先端部を容易に把持して引き出すことができるようになる。また、次に、紙Ｓの先端Ｓａ側を引出す際に、ロール紙Ｗが逆転方向に回転する等して、紙Ｓの先端Ｓａがロール紙Ｗにくっついてしまったような場合には、上記と同様に、ロール紙Ｗを正転方向Ｒに回転して、セパレータ１０による分離を行えば良い。このように、支持軸２にあるロール紙Ｗが消費されるまでは、紙Ｓの先端Ｓａ側をブレード１１の支承面１３に支承することができるので、紙Ｓの引出操作や切断操作を円滑に行うことができるようになる。また、支持軸２へ支持したロール紙Ｗの使用中においては、予備のロール紙Ｗが移動しようとしても、規制板４４で移動が規制されるので、支持軸２へ支持したロール紙Ｗに接触することがなく、支持軸２でのロール紙Ｗの回転を円滑に保持することができる。
【００４１】
支持軸２にあるロール紙Ｗが消費されたならば、予備のロール紙Ｗを手で支持軸２の中心線Ｐ方向にスライドさせ、保持軸３６から支持軸２に受け渡す。予備のロール紙Ｗを保持軸３６に保持して支持軸２に受け渡すので、ロール紙Ｗの中心孔Ｗｈを支持軸２に挿通し易くなり、補給を容易に行うことができる。予備保持部３０から予備のロール紙Ｗを補給できるので、極めて便利になる。そして、支持軸２のロール紙Ｗがなくなったならば、再び、上記のように、支持軸２及び予備保持部３０の保持軸３６にロール紙Ｗを装填して、使用するようにする。
【００４２】
尚、上記実施の形態において、スぺーサ１７は、セパレータ１０側に設けたが、必ずしもこれに限定されるものではなく、覆い板２０側に設け、あるいは両方に設けても良く、適宜変更して差支えない。また、上記実施の形態においては、予備保持部３０を備えたロール紙ホルダーＨの場合を示したが、必ずしもこれに限定されるものではなく、予備保持部３０のないロール紙ホルダーであっても良いことは勿論である。この場合、中心孔を筒状の芯で形成した芯付きのロール紙にも適用できるようになる。要するに、本発明は、上述した本発明の実施の形態に限定されず、当業者は、本発明の新規な教示及び効果から実質的に離れることなく、これら例示である実施の形態に多くの変更を加えることが容易であり、これらの多くの変更は本発明の範囲に含まれる。
【符号の説明】
【００４３】
Ｈ  ロール紙ホルダー
Ｗ  ロール紙
Ｗｈ  中心孔
Ｗｓ  ロール面
Ｓ  紙
Ｓａ  先端
１  基台
２  支持軸
２ａ  固定軸
２ｂ  可動軸
２ｃ  アタッチメント軸
Ｒ  正転方向
Ｐ  中心線
３  背板
４  一方の起立板
５  他方の起立板
６  回動軸
Ｑ  軸線
１０  セパレータ
１１  ブレード
１２  すくい刃
１３  支承面
１４  支持体
１５  通過開口
１５ａ  前側開口縁
１５ｂ  後側開口縁
１６  板状部材
１７  スぺーサ
１８  突出板
Ｅ  間隔
１９  凹曲面
１９ａ  凹所
２０  覆い板
２１  切断刃
３０  予備保持部
３２  外郭
３５  本体
Ｘ  受渡位置
Ｙ  補填位置
３６  保持軸
３６ａ  固定軸
３６ｂ  可動軸
３６ｃ  アタッチメント軸
４０  ロック機構
４１  差込み杆
４２  頭部
４４  規制板
５０  載置板
５１  載置面
Ｚ  載置可能位置
５２  ストッパ
【図１】
2019154835.tif 000003
【図２】
2019154835.tif 000004
【図３】
2019154835.tif 000005
【図４】
2019154835.tif 000006
【図５】
2019154835.tif 000007
【図６】
2019154835.tif 000008
【図７】
2019154835.tif 000009
【図８】
2019154835.tif 000010
【図９】
2019154835.tif 000011
【図１０】
2019154835.tif 000012